(57)【要約】  電磁レンズと干渉することなく広視野偏向や所望の角度を有する傾斜ビーム形成を可能とする電子光学構成を備えた収差が少なく高解像の走査電子顕微鏡及びそれを用いた計測方法を提供するために、走査電子顕微鏡において、電磁レンズ２０７の上部に電磁偏向器２０１を設け、それと重なるように(鉛直方向に対して高さ位置が重なるように)電子を加速若しくは減速する制御電極２０２を設ける。広視野偏向では電子を加速し、傾斜ビーム形成では電子を減速する。
2011108368.tif 000002
【特許請求の範囲】
【請求項１】
電子源と、
前記電子源から放出された電子ビームを試料上に収束して照射する電磁レンズと、
前記試料から発生する２次電子信号や反射電子に基づいて試料像を得る手段と、
前記電磁レンズの上方に設けられた電磁偏向器と、
鉛直方向に対して高さ位置が前記電磁偏向器と重なる位置に、離間して設けられ、前記電子ビームを加速もしくは減速する制御電極とを有することを特徴とする走査電子顕微鏡。
【請求項２】
請求項１記載の走査電子顕微鏡において、
前記電磁偏向器と制御電極の間に、更に付加電極を設けることを特徴とする走査電子顕微鏡。
【請求項３】
請求項２記載の走査電子顕微鏡において、
前記付加電極が真空隔壁であることを特徴とする走査電子顕微鏡。
【請求項４】
請求項１記載の走査電子顕微鏡において、
前記制御電極は下端近傍で外側に広がる構造になっていること特徴とする走査電子顕微鏡。
【請求項５】
請求項１記載の走査電子顕微鏡において、
前記制御電極の下方に第２の制御電極を設けることを特徴とする走査電子顕微鏡。
【請求項６】
請求項１記載の走査電子顕微鏡において、
前記電磁レンズの磁性体の１部に電位が印加されていることを特徴とする走査電子顕微鏡。
【請求項７】
請求項５記載の走査電子顕微鏡において、
前記制御電極に、前記第２の制御電極や前記磁性体の１部に印加した正の電位より低い正の電位が印加されていることを特徴とする走査電子顕微鏡。
【請求項８】
請求項１記載の走査電子顕微鏡において、
前記制御電極の上方に静電偏向器が配置されていることを特徴とする走査電子顕微鏡。
【請求項９】
請求項８記載の走査電子顕微鏡において、
前記静電偏向器の各極にオフセット電位が印加されていることを特徴とする走査電子顕微鏡。
【請求項１０】
請求項１記載の走査電子顕微鏡において、
前記制御電極には正負の電位が印加出来ることを特徴とする走査電子顕微鏡。
【請求項１１】
請求項１記載の走査電子顕微鏡において、
前記制御電極は広視野モードでは加速し、傾斜ビームモードでは減速することを特徴とする走査電子顕微鏡。
【請求項１２】
電子源と、
前記電子源から放出された電子ビームを試料上に収束して照射する電磁レンズと、
前記試料から発生する２次電子信号や反射電子に基づいて試料像を得る手段と、
前記電磁レンズの上方に設けられた電磁偏向器と、
鉛直方向に対して高さ位置が前記電磁偏向器と重なる位置に、離間して設けられ、前記電子ビームを加速もしくは減速する２段の制御電極とを有することを特徴とする走査電子顕微鏡。
【請求項１３】
請求項１２記載の走査電子顕微鏡において、
前記電磁偏向器が２段であり、上部の偏向器と上部の制御電極が、下部の偏向器と下部の制御電極がそれぞれ重なる位置に設けることを特徴とする走査電子顕微鏡。
【請求項１４】
請求項１２記載の走査電子顕微鏡において、
前記制御電極が加速型であることを特徴とする走査電子顕微鏡。
【請求項１５】
請求項１２記載の走査電子顕微鏡において、
前記制御電極が広視野モードでは加速型に、傾斜ビームモードでは減速型に、切り替え可能であることを特徴とする走査電子顕微鏡。
【請求項１６】
請求項１記載の走査電子顕微鏡を用いた検査方法であって、
前記電子ビームを前記制御電極により加速して前記試料に照射する工程と、
前記試料から発生する２次電子信号や反射電子に基づいて試料像を得る工程と、を有することを特徴とする検査方法。
【請求項１７】
請求項１記載の走査電子顕微鏡を用いた検査方法であって、
前記電子ビームを前記制御電極により減速し、斜め方向から前記試料に照射する工程と、
前記試料から発生する２次電子信号や反射電子に基づいて試料像を得る工程と、を有することを特徴とする検査方法。
【請求項１８】
請求項１２記載の走査電子顕微鏡を用いた検査方法であって、
前記電子ビームを前記２段の制御電極により加速して前記試料に照射する工程と、
前記試料から発生する２次電子信号や反射電子に基づいて試料像を得る工程と、を有することを特徴とする検査方法。
【請求項１９】
請求項１２記載の走査電子顕微鏡を用いた検査方法であって、
前記電子ビームを前記２段の制御電極により減速し、斜め方向から前記試料に照射する工程と、
前記試料から発生する２次電子信号や反射電子に基づいて試料像を得る工程と、を有することを特徴とする検査方法。
【発明の詳細な説明】
【技術分野】
【０００１】
検査・計測に用いる走査電子顕微鏡及びそれを用いた検査方法に関する。
【背景技術】
【０００２】
電子ビームを用いた試料の観察・検査・計測に用いられる走査電子顕微鏡（ＳＥＭ）は、電子源から放出された電子を加速し、静電または電磁レンズによって試料表面上に収束させて照射する。これを１次電子という。１次電子の入射によって試料からは２次電子や反射電子が発生する。これら２次電子や反射電子を、電子ビームを偏向して走査しながら検出することで、試料上の微細パターンや組成分布の走査画像を得ることができる。（例えば、特許文献１，２や非特許文献１を参照）
【先行技術文献】
【特許文献】
【０００３】
【特許文献１】特開２０００−３４８６５８号公報
【特許文献２】特開平８−１３８６１１号公報
【非特許文献】
【０００４】
【非特許文献１】Ｊｏｕｒｎａｌ  ｏｆ  Ｖａｃｕｕｍ  Ｓｃｉｅｎｃｅ  ａｎｄ  Ｔｅｃｈｎｏｌｏｇｙ，  Ｖｏｌ．１９，  Ｎｏ．４，  （１９８１）  ｐ１０５８−ｐ１０６３
【発明の概要】
【発明が解決しようとする課題】
【０００５】
走査電子顕微鏡において望ましいとされる機能として、電子ビームの分解能の大幅な低下を招くことなく（１）広い視野の走査を行えること、（２）傾けたビームで画像を得られること、の２つが挙げられる。半導体の微細化が進むに従いレジストパターンの２次元高速検査が必要となってきており、検査領域の拡大やシュリンクの低減などに広い視野の走査が必要となって来ている。また、デバイス構造の立体化が進んできており、３次元検査のための傾斜ビームの形成が必要となって来ている。これらの目的を達成するためには電子ビームの偏向により生じる偏向収差を低減する必要がある。【０００６】
特許文献１や非特許文献１には、試料直上の電磁レンズの磁性体の切れ目に重なるように、すなわち電子レンズの磁場と重なるように、電磁偏向器を複数設置する技術が開示されている。また、特許文献２には電磁偏向器を複数設け、電子レンズの磁場とも重なるように、電極を設けた例が開示されている。しかしながら、軸上での高解像化を進めるためにはレンズの内径や試料との距離を小さくする必要があり、上記電磁レンズと電磁偏向器を重ねて配置する（例えば、鉛直方向なら高さ位置が重なる）従来方法では電磁偏向器の設置が物理的に困難になってくる。また、同じ電磁偏向器の配置で広視野偏向と所望の角度の傾斜ビームを実現することも困難である。【０００７】
本発明の目的は、広視野偏向と所望の角度の傾斜ビームを実現することのできる収差が小さく高解像の走査電子顕微鏡及びそれを用いた検査方法を提供することにある。
【課題を解決するための手段】
【０００８】
上記目的を達成するための一実施形態として、電子源と、前記電子源から放出された電子ビームを試料上に収束して照射する電磁レンズと、前記試料から発生する２次電子信号や反射電子に基づいて試料像を得る手段と、前記電磁レンズの上方に設けられた電磁偏向器と、鉛直方向に対して高さ位置が前記電磁偏向器と重なる位置に、離間して設けられ、前記電子ビームを加速もしくは減速する制御電極とを有することを特徴とする走査電子顕微鏡とする。【０００９】
また、電子源と、前記電子源から放出された電子ビームを試料上に収束して照射する電磁レンズと、前記試料から発生する２次電子信号や反射電子に基づいて試料像を得る手段と、前記電磁レンズの上方に設けられた電磁偏向器と、鉛直方向に対して高さ位置が前記電磁偏向器と重なる位置に、離間して設けられ、前記電子ビームを加速もしくは減速する２段の制御電極とを有することを特徴とする走査電子顕微鏡とする。【００１０】
また、前記走査電子顕微鏡を用いた検査方法であって、前記電子ビームを前記制御電極により加速して前記試料に照射する工程と、前記試料から発生する２次電子信号や反射電子に基づいて試料像を得る工程と、を有することを特徴とする検査方法とする。【００１１】
また、前記走査電子顕微鏡を用いた検査方法であって、前記電子ビームを前記制御電極により減速し、斜め方向から前記試料に照射する工程と、前記試料から発生する２次電子信号や反射電子に基づいて試料像を得る工程と、を有することを特徴とする検査方法とする。
【発明の効果】
【００１２】
上記構成、特に電磁レンズの上方に設けられた電磁偏向器と、鉛直方向に対して高さ位置が電磁偏向器と重なる位置に制御電極を設けることにより、広視野偏向と所望の角度の傾斜ビームを実現することのできる収差が小さく高解像の走査電子顕微鏡及びそれを用いた検査方法を提供することができる。
【図面の簡単な説明】
【００１３】
【図１】実施例１に係る走査電子顕微鏡の概要図である。
【図２】実施例１に係る走査電子顕微鏡の主要な電子光学系断面図である。
【図３】実施例１に係る走査電子顕微鏡の主要な電子光学系上面図である。
【図４】実施例２に係る走査電子顕微鏡の主要な電子光学系断面図である。
【図５】実施例３に係る走査電子顕微鏡の主要な電子光学系断面図である。
【図６】実施例４に係る走査電子顕微鏡の主要な電子光学系断面図である。
【図７】広視野偏向の際の電子軌道図である。
【図８】傾斜ビームの際の電子軌道図である。
【発明を実施するための形態】
【００１４】
試料直上の電磁レンズの上部に電磁偏向器を設け、それと重なるように（例えば、鉛直方向に対して高さ位置が重なるように）電子を加速若しくは減速する電極を設けることを主要な特徴とする。すなわち、試料直上の電磁レンズの上方に電磁偏向器とそれと重なるように静電レンズを設けることを主要な特徴とする。
【００１５】
上記電極を設けることにより、電磁偏向器の作用する領域で電子のエネルギーを制御することが可能となるため、電磁偏向器起因の偏向色収差を制御することが可能となる。結果として、広視野偏向や所望の角度を有する傾斜ビームを電磁レンズと干渉することなく実現することが出来る。
【００１６】
以下、実施例を用いて詳細に説明する。
【実施例１】
【００１７】
第1の実施例について、図１〜図３、図７及び図８を用いて説明する。【００１８】
図１は実施例１に係る走査電子顕微鏡の全体概略図を示す。電子銃１０１から放出された電子ビーム１０２はコンデンサレンズ１０３と電磁レンズ１０８により試料上に結像される。本実施の形態では対物レンズは電磁レンズ１０８と、電磁レンズ１０８と試料１０９間の電場により生じる静電レンズにより、主に構成されている。そして試料から放出される２次電子や反射電子１０４は中間にある検出器１０５により検出される。試料上の電子ビームは電磁偏向器１０６により２次元に走査され、結果として２次元画像を得ることが出来る。２次元画像は表示装置１１９に表示される。【００１９】
なお、符号１１０は試料を載せるホルダー、符号１１１は電子銃制御部、符号１１２はコンデンサレンズ制御部、符号１１４は走査偏向器制御部、符号１１５は電磁レンズ制御部、符号１１６は試料電圧制御部、符号１１７は記憶装置、符号１１８は装置全体の制御演算部を示す。【００２０】
また、図２と図３は装置内の電子光学構成の１部を示したものであり、図２は概略断面図、図３は上面図である。図２に示すように電磁偏向器２０１は２段を連動して使用しており、その内側に電子の加速や減速の可能な制御電極２０２が電磁偏向器と重なる(鉛直方向に対して高さ位置が重なる)位置に配置されている。制御電極の内側は図３に示すように円筒状になっており、電位を印加することで電子を加減速する。この電極の下端は、図２に示すように、試料直上の電磁レンズ２０７の磁性体の開口２１０より上方にあり、電磁レンズとの干渉を避けている。【００２１】
電磁レンズ２０７は大きく、磁性体からなる上磁路２０４と下磁路２０５及び電磁コイル２０６から構成される。電磁レンズの磁性体の１部（上磁路）２０４には正の電位が印加されており、電子を加速することで軸上の収差を低減している。更に、本実施例による制御電極の上端より上方にも付加電極２０３が存在し、結果として３つの電極からなる静電レンズが電磁偏向器と重なる構成になっている。なお、本実施例では上方の電極は接地電極である。符号２０８は試料を示す。【００２２】
本実施例における制御電極の効果はまず偏向色収差の制御にある。走査電子顕微鏡において、偏向色収差は偏向収差の中で最も重要な収差である。偏向色収差は偏向器の偏向感度の差が電子の速度の差により生じる偏向器起因の偏向色収差と、レンズの焦点距離の差が電子の速度の差により生じるレンズ起因の偏向色収差が存在する。最終的な偏向色収差はこの２つの合計になるので、偏向器起因の偏向色収差が変化すると最終的な偏向色収差も変化する。【００２３】
図７に電子軌道の概念図を示す。高速電子軌道Ａ７０１に対してエネルギーの低い低速電子は偏向器の偏向作用とレンズのレンズ作用の双方が大きく働く。図７の低速電子軌道Ａ７０２は偏向作用のみ大きく働いた場合の軌道であり、低速電子軌道Ｂ７０３はレンズ作用のみ大きく働いた場合の軌道である。各低速軌道と高速軌道の試料上での位置の差が偏向色収差であり、それぞれ偏向器起因の色収差とレンズ起因の色収差となる。図７に示す、広視野での撮像に必要な垂直に近い入射の場合はいずれの低速軌道もプラス方向（より大きく偏向する方向）にずれている。すなわち、偏向器起因の色収差もレンズ起因の色収差は積算される方向で作用する。【００２４】
従って、制御電極に正の電位を印加して電子を加速することで、偏向器起因の偏向色収差が低減し、広い視野の偏向の際の解像度の劣化を防ぐことが出来る。本実施例では電磁偏向器２０１や制御電極２０２を電磁レンズと離して設置するために物理的な制約が少なく、短焦点で高解像な電磁レンズ２０７との両立が可能である。【００２５】
また、本実施例の別の効果として、図７では図示していないが、レンズ起因の偏向色収差の低減も挙げられる。本実施例の制御電極がない場合、付加電極２０３と電磁レンズ２０７の磁性体の１部(上磁路)２０４の間の電位差により電磁偏向器２０１の下方に静電レンズ効果の生じる領域がある。電磁偏向器２０１により電子が偏向された場合はこの領域において軸外を通過されるために、レンズ起因の偏向色収差が生じてしまう。【００２６】
レンズ起因の偏向色収差は主に試料近傍で生じるが、この領域でも一定量のレンズ起因の偏向色収差が生じている。本実施例では制御電極２０２に電圧を加えることで磁性体の１部(上磁路)２０４との電位差が減少し、レンズ効果が弱まることでレンズ起因の偏向色収差の軽減が可能となる。すなわち、電磁偏向器２０１が電磁レンズ２０７上方の静電レンズ内に配置されることになり、インレンズ偏向による収差低減効果が得られることになる。【００２７】
また、本実例では電磁偏向器２０１と制御電極２０２の間に付加電極２０３が存在する。すなわち電磁偏向器２０１と重なる位置の内側に２重に電極が存在することになる。本実施例では２つの中の内側の制御電極２０２により電子の加速や減速を行うこととなる。外側の付加電極２０３は接地されており、電子ビームの通路を真空に保つための真空隔壁となっている。この構造の効果は真空隔壁と別の電極により電子ビームの制御を行うことで、真空隔壁を接地にすることが可能となり、機械的な構造が簡単になることにある。更に制御電極２０２は下端近傍で外側に広がる構造になっており、電子ビームの通過領域を外側の電位からシールドしている。これにより制御電極２０２の効果を確実なものとしている。【００２８】
以上の本実例において制御電極２０２に３ｋＶ、磁性体の１部に６ｋＶ、試料２０８に―２．２ｋＶを印加した。電子ビームは３ｋＶのエネルギーでコンデンサレンズより入射しており、電磁偏向器２０１近傍では６ｋＶ程度に、電磁レンズ２０７上方では９ｋＶ程度に加速され、最終的に試料２０８には８００Ｖに減速されて入射する。電磁偏向器２０１で広い視野である５０μｍ角を偏向した際の分解能は３ｎｍであり、従来の５ｎｍより高分解能化が可能となった。本装置を用いて約１００ｎｍ幅ラインのシリコンの寸法を計測した結果、視野内での均一性を従来の±１ｎｍから±０．２ｎｍと大きく向上させることが出来た。【００２９】
また、本実施形態において逆に制御電極に負の電位を印加することで電子を減速し、偏向器起因の偏向色収差を増大させることが出来る。【００３０】
図８に傾斜ビームを形成した際の電子軌道を示す。低速電子軌道Ｃ８０２は偏向作用のみ大きくしたもの、低速電子軌道Ｄ８０３はレンズ作用のみ大きくしたものである。傾斜ビームの場合、低速電子軌道Ｄ８０３と高速電子軌道Ｂ８０１のずれと低速電子軌道Ｃと高速電子軌道Ｂのずれが逆方向になっている。【００３１】
すなわち、レンズ起因で発生する色収差傾斜ビームの軌道を作る際に発生するレンズ起因の偏向色収差を制御させた偏向器起因の偏向色収差で相殺することで、傾斜ビームの解像度を向上させることが出来る。ここで、傾斜角度とレンズ起因の色収差には相関があり、相殺する色収差が大きいほど大きな傾斜角を得ることが出来る。【００３２】
制御電極２０２に―１．５ｋＶ、磁性体の１部に６ｋＶ、試料に―２．２ｋＶを印加することで４度傾けた電子ビームの解像度を３ｎｍとすることが出来た。これは従来の７ｎｍと比較して大きな解像度の向上である。これにより逆テーパのラインパターンの側壁観察が可能となり、テーパ角管理が実現できる。【００３３】
このように本実施例は単に広い視野の偏向や傾斜ビームが可能となるだけでなく、それぞれのモードに従って制御電極２０２の電位を変化させるだけで切り替えが可能である。具体的には広視野モードでは加速し、傾斜ビームモードでは減速する。その際に制御電極が電磁レンズの上方に位置するために、電磁レンズとの干渉なく切り替えが可能なことも大きな特徴である。【００３４】
以上述べたように、本実施例によれば、広視野偏向と所望の角度の傾斜ビームを実現することのできる収差が小さく高解像の走査電子顕微鏡及びそれを用いた検査方法を提供することができた。
【実施例２】
【００３５】
第２の実施例について図４を用いて説明する。なお、実施例１に記載され本実施例に未記載の事項は特段の事情がない限り本実施例にも適用することができる。【００３６】
図４に本実施例に係る走査電子顕微鏡の電子光学構成の主要部断面図を示す。なお、装置全体の構成は実施例１と同様である。本実施例では制御電極２０２の上部に静電偏向器３０１を設置している。静電偏向器３０１は微小な偏向を行うためのものであり、本実施例では電磁偏向器２０１により試料表面上において電子ビームを大きく偏向した後に静電偏向器２段を連動して２次元走査を行う。静電偏向器３０１は走査速度を早くすることが出来る（電磁偏向器の４倍程度）ために絶縁体試料の帯電抑制に効果的である。【００３７】
このように２つの偏向手段を組み合わせることで、実質的な広視野観察を可能とすることが出来る。但し、静電偏向器と制御電極の干渉を防ぐために、静電偏向器は制御電極より上方に設置されている。なお、本実施例で用いた静電偏向器は８極静電偏向器である。【００３８】
本実施例においては制御電極に３ｋＶ、磁性体の１部に６ｋＶ、試料に―２．９ｋＶを印加した。これにより照射電子のエネルギーは１００Ｖとなる。本実施例の目的はレジストパターンの計測であり、ダメージの軽減のためにエネルギーを低下させた。電子を低速にすることにより偏向色収差は増大する方向にあるが、本実施例により、５０μｍ角偏向領域でも分解能３．５ｎｍを得ることが出来た。更に静電偏向による高速走査により１μｍ角領域のレジスト像に生じる帯電の影を解消している。５０ｎｍ幅のレジストラインを計測した結果、５０μｍ角偏向領域で±０．２５ｎｍの均一性を得ることが出来た。【００３９】
以上述べたように、本実施例によれば、広視野偏向と所望の角度の傾斜ビームを実現することのできる収差が小さく高解像の走査電子顕微鏡及びそれを用いた検査方法を提供することができた。また、静電偏向器を設けることにより、絶縁膜パターンであっても高解像の計測を実現することができた。
【実施例３】
【００４０】
第３の実施例について、図５を用いて説明する。なお、実施例１又は２に記載され、本実施例に未記載の事項は特段の事情がない限り本実施例にも適用できる。【００４１】
図５は本実施例に係る走査電子顕微鏡の電子光学構成の主要部断面を示す。なお、装置全体の構成は実施例１と同様である。本実施例では制御電極４０３が短く、電磁偏向器２０１の位置が重なっているが、必ずしも全体を覆っていない。本実施例の効果は電磁偏向器２０１に対して部分的に制御電極４０３が重なるだけでも得られる。制御電極４０３を短くする効果は、静電偏向器４０１の位置の自由度が大きくなることにある。本実施例では静電偏向器４０１の位置を下げることで偏向感度を増大させることが出来た。【００４２】
本実施例では、制御電極４０３に２ｋＶ、第２の制御電極に５ｋＶ、試料に―１．４ｋＶを印加することで、電磁偏向器で５０μｍ角を偏向した際の分解能は３．３ｎｍとなった。結果として従来の５ｎｍより高分解能化が可能となった。本装置を用いて約１００ｎｍ幅ラインのシリコンの寸法を計測した結果、視野内での均一性を±０．２３ｎｍと大きく向上させることが出来た。【００４３】
以上述べたように、本実施例によれば、広視野偏向と所望の角度の傾斜ビームを実現することのできる収差が小さく高解像の走査電子顕微鏡及びそれを用いた検査方法を提供することができた。また、制御電極を短くし静電偏向器と電磁偏向器を近づけることにより、偏向感度を増大でき、より高解像な計測を行うことができた。
【実施例４】
【００４４】
第４の実施例について図６を用いて説明する。なお、実施例１や２に記載され本実施例に未記載の事項は特段の事情がない限り本実施例にも適用することができる。【００４５】
図６に本実施例に係る走査電子顕微鏡の電子光学構成の１部を示す。なお、装置全体の構成は実施例１と同様である。本実施例では制御電極を上部制御電極５０２と下部制御電極５０１の上下２つに分割している。それぞれの電極には異なる電位を与えることが可能で、より複雑な電子の速度制御が可能となる。【００４６】
上部制御電極５０２は電磁偏向器の上部偏向器５０４と、下部制御電極５０１は電磁偏向器の下部偏向器５０３と重なるように配置されている。これによりそれぞれの偏向器での電子の速度を制御できる。【００４７】
本実施例では、上部制御電極５０２に２．８ｋＶ、下部制御電極に３ｋＶ、磁性体の１部（上磁路）に６ｋＶ、試料に―２．７ｋＶを印加することで、電磁偏向器で５０μｍ角を偏向した際の分解能は２．８ｎｍとなり、広い視野での高分解能走査を実現出来る。【００４８】
また、上部制御電極に―１，８ｋＶ、下部制御電極に―１．５ｋＶ、磁性体の１部（上磁路）に６ｋＶ、試料に―２．７ｋＶを印加することで、５度傾けた電子ビームで３ｎｍの分解能を得ることが可能である。【００４９】
本実施例ではまた、８極２段の静電偏向器をオフセット重畳静電偏向器６０１としている。これは静電偏向器の各電極の偏向電圧に同じオフセット電圧を加えるものである。このことにより、静電偏向器起因の色収差や制御電極との間のレンズ効果の低減を図ることが可能となり、静電偏向での偏向色収差の低減に効果がある。ここでは２．８ｋＶのオフセット電圧を加えることで、静電偏向の色収差を従来の１／２とすることが出来た。【００５０】
以上述べたように、本実施例によれば、広視野偏向と所望の角度の傾斜ビームを実現することのできる収差が小さく高解像の走査電子顕微鏡及びそれを用いた検査方法を提供することができた。また、オフセット重畳静電偏向器を用いることにより静電偏向での収差低減を図ることができた。【００５１】
これまでの実施例の制御電極は周回上に連続的な構造であったが、制御電極が回転方向に分割されていても同様の効果が得られることは明らかである。この場合、各電極に共通のオフセット以外の電圧を印加することで静電偏向器としても利用できることになり、静電偏向器が制御電極を兼ねることで光学素子の占める空間を少なくすることや配線数を減らすことが可能となる。
【符号の説明】
【００５２】
１０１…電子銃、１０２…電子ビーム、１０３…コンデンサレンズ、１０４…２次電子や反射電子、１０５…検出器、１０６…電磁偏向器、１０８…電磁レンズ、１０９…試料、１１０…ホルダー、１１１…電子銃制御部、１１２…コンデンサレンズ制御部、１１４…走査偏向器制御部、１１５…電磁レンズ制御部、１１６…試料電圧制御部、１１７…記憶装置、１１８…装置全体の制御演算部、１１９…表示装置、２０１…電磁偏向器、２０２…制御電極、２０３…付加電極、２０４…磁性体の１部（上磁路）、２０５…下磁路、２０６…電磁コイル、２０７…電磁レンズ、２１０…磁性体の開口、３０１…静電偏向器、４０１…静電偏向器、４０３…制御電極、５０１…下部制御電極、５０２…上部制御電極、５０３…下部偏向器、５０４…上部偏向器、６０１…オフセット重畳静電偏向器、７０１…高速電子軌道Ａ、７０２…低速電子軌道Ａ、７０３…低速電子軌道Ｂ、８０１…高速電子軌道Ｂ、８０２…低速電子軌道Ｃ、８０３…低速電子軌道Ｄ。
【図１】
2011108368.tif 000003
【図２】
2011108368.tif 000004
【図３】
2011108368.tif 000005
【図４】
2011108368.tif 000006
【図５】
2011108368.tif 000007
【図６】
2011108368.tif 000008
【図７】
2011108368.tif 000009
【図８】
2011108368.tif 000010
【国際調査報告】
2011108368.tif 000011
2011108368.tif 000012
2011108368.tif 000013
2011108368.tif 000014